(57)【要約】【課題】外装材の納まりや取付手順が簡単化でき、かつ施工効率を向上させることができるカーテンウォール、およびカーテンウォールの施工方法を提供すること。【解決手段】外装ルーバー４０がカーテンウォールユニット１１の上枠１２や縦枠に支持されているので、外装ルーバー４０を予め取り付けた状態のカーテンウォールユニット１１を建物１に取り付けることができ、取付手順が簡単化できるとともに、屋外高所における取付作業が省略または削減できるので、施工効率を向上させることができる。また、主ブラケット４２や副ブラケット４５が上枠１２や縦枠から屋外側に突出して固定されているので、主ブラケット４２や副ブラケット４５とカーテンウォールユニット１１との納まりや止水構造が簡単化でき、部品点数の増加や止水性能の低下が防止できるとともに、カーテンウォール１０の外観意匠性を向上させることができる。【選択図】図３
2009221788.tif 000002
【特許請求の範囲】
【請求項１】
上枠、下枠、および左右の縦枠の内部に面材を支持した窓部と、この窓部の屋外側に設けられるルーバー装置とを備えたカーテンウォールであって、
前記ルーバー装置は、前記上枠または前記縦枠の上部に固定される主ブラケットと、この主ブラケットよりも下方にて前記縦枠または下枠に固定される副ブラケットと、これらの主ブラケットと副ブラケットとに渡って上下に延びる縦材と、この縦材に支持されて左右に延びる複数のルーバー材とを備えて構成されているカーテンウォール。
【請求項２】
上枠、下枠、および左右の縦枠の内部に面材を支持した窓部と、この窓部の屋外側に設けられるルーバー装置とを備えたカーテンウォールであって、
前記ルーバー装置は、左右に並設された少なくとも２つの前記窓部に渡って設けられるとともに、当該ルーバー装置の両端位置にて前記上枠または前記縦枠の上部に固定される主ブラケットと、この主ブラケットよりも下方にて前記縦枠または下枠に固定される副ブラケットと、これらの主ブラケットと副ブラケットとに渡って上下に延びる縦材と、この縦材に支持されて左右に延びる複数のルーバー材と、当該ルーバー装置の中間位置にて前記上枠または前記縦枠の上部に固定される他の主ブラケットと、この主ブラケットに支持されて上下に延びるとともに前記ルーバー材の中間部に連結される副縦材とを備えて構成されているカーテンウォール。
【請求項３】
前記ルーバー装置は、前記縦材と副ブラケットとの交差部と、当該ルーバー装置の中間位置における前記縦枠または下枠とを連結する斜材を備えて構成されている請求項２に記載のカーテンウォール。
【請求項４】
前記ルーバー装置は、前記主ブラケットに支持されて左右に延びるデッキ部を備えて構成されている請求項１から請求項３のいずれかに記載のカーテンウォール。
【請求項５】
前記ルーバー材は、ルーバー材本体とカバー材とを有して断面中空状に形成され、この中空内部に挿入される取付部材を介して前記縦材に固定されている請求項１から請求項４のいずれかに記載のカーテンウォール。
【請求項６】
上枠、下枠、および左右の縦枠の内部に面材を支持したカーテンウォールユニットと、このカーテンウォールユニットの屋外側に設けられるルーバー装置とを備えたカーテンウォールの施工方法であって、
前記ルーバー装置は、左右に並設された少なくとも２つの前記カーテンウォールユニットに渡って設けられるとともに、当該ルーバー装置の両端位置にて前記上枠または前記縦枠の上部に固定される主ブラケットと、この主ブラケットよりも下方にて前記縦枠または下枠に固定される副ブラケットと、これらの主ブラケットと副ブラケットとに渡って上下に延びる縦材と、この縦材に支持されて左右に延びる複数のルーバー材と、当該ルーバー装置の中間位置にて前記上枠または前記縦枠の上部に固定される他の主ブラケットと、この主ブラケットに支持されて上下に延びるとともに前記ルーバー材の中間部に連結される副縦材とを備えて構成され、
前記少なくとも２つのカーテンウォールユニットを仮組みし、仮組みしたカーテンウォールユニットに前記ルーバー装置を取り付け、このルーバー装置を取り付けた状態のカーテンウォールユニットを吊り上げて建物躯体に固定するカーテンウォールの施工方法。
【発明の詳細な説明】
【技術分野】
【０００１】
本発明は、カーテンウォール、およびカーテンウォールの施工方法に関し、詳しくは、窓部と、その屋外側に設けられるルーバー装置とを備えたカーテンウォール、およびカーテンウォールの施工方法に関する。
【背景技術】
【０００２】
従来より、建物の外壁面を構成するカーテンウォールとして、上枠、下枠、左右の縦枠および面材を組み立てたカーテンウォールユニットを建物躯体に取り付けるユニット式のカーテンウォールや、上枠、下枠、左右の縦枠および面材を建物の各取付位置にて組み立てつつ建物躯体に取り付けるノックダウン式のカーテンウォールが知られている。
このようなカーテンウォールで構成した外壁において、グレーチングからなる歩行デッキや、遮光用あるいは外観意匠のためのルーバーが外壁の屋外側に取り付けられた外装システムが提案されている（例えば、特許文献１参照）。
【０００３】
【特許文献１】特許第３３６１９７０号公報
【発明の開示】
【発明が解決しようとする課題】
【０００４】
ところで、特許文献１に記載されたような従来の外装システムでは、歩行デッキやルーバー、支柱等の外装材を支持するブラケットが建物躯体に固定され、外壁面を構成する外壁材やカーテンウォールなどを貫通して屋外側に延びて設けられている。このため、外壁材やカーテンウォールとブラケットとの納まりや貫通部分の止水構造などが複雑になり、部材点数が増えるという懸念がある。また、従来の外装システムでは、ブラケットを建物躯体に先付けしておいてから外壁材やカーテンウォールを取り付け、その後ブラケットに外装材を取り付けることとなるため、外装材の取付作業をカーテンウォール等の屋外側で実施する必要がある。このため、外装材の取付作業が高所作業になったり、外装材取付用の足場を用意したりなど、現場の作業性が低下する可能性がある。特に、外壁面がユニット式のカーテンウォールで構成された高層建築物などにおいては、カーテンウォールユニットを吊り上げて建物躯体に取り付けるだけで外壁面の施工が完了することが施工効率の点で重要であり、このような高層建築物に従来の外装システムを適用した場合には、施工効率の低下が懸念される。
【０００５】
本発明の目的は、外装材の納まりや取付手順が簡単化でき、かつ施工効率を向上させることができるカーテンウォール、およびカーテンウォールの施工方法を提供することにある。
【課題を解決するための手段】
【０００６】
本発明のカーテンウォールは、上枠、下枠、および左右の縦枠の内部に面材を支持した窓部と、この窓部の屋外側に設けられるルーバー装置とを備えたカーテンウォールであって、前記ルーバー装置は、前記上枠または前記縦枠の上部に固定される主ブラケットと、この主ブラケットよりも下方にて前記縦枠または下枠に固定される副ブラケットと、これらの主ブラケットと副ブラケットとに渡って上下に延びる縦材と、この縦材に支持されて左右に延びる複数のルーバー材とを備えて構成されていることを特徴とする。
【０００７】
このような本発明によれば、カーテンウォールを構成する窓部の上枠や縦枠（または下枠）に主ブラケットおよび副ブラケットを固定し、これらのブラケットに渡る縦材にルーバー材を支持させたことで、窓部の取り付けと同時に、または窓部の取り付けに引き続いてルーバー装置を設置することができる。従って、窓部とルーバー装置との取付手順が簡単化できるとともに、屋外高所における取付作業が省略または削減できるので、施工効率を向上させることができる。また、各ブラケットが建物躯体からカーテンウォールを貫通して設けられていないため、各ブラケットと窓部や躯体との納まりや止水構造が簡単化でき、部品点数の増加や止水性能の低下が防止できる。さらに、各ブラケットまわりの納まりや止水構造が簡単化できることから、カーテンウォールの外観が良好にでき、意匠性を向上させることができる。
【０００８】
また、本発明のカーテンウォールは、上枠、下枠、および左右の縦枠の内部に面材を支持した窓部と、この窓部の屋外側に設けられるルーバー装置とを備えたカーテンウォールであって、前記ルーバー装置は、左右に並設された少なくとも２つの前記窓部に渡って設けられるとともに、当該ルーバー装置の両端位置にて前記上枠または前記縦枠の上部に固定される主ブラケットと、この主ブラケットよりも下方にて前記縦枠または下枠に固定される副ブラケットと、これらの主ブラケットと副ブラケットとに渡って上下に延びる縦材と、この縦材に支持されて左右に延びる複数のルーバー材と、当該ルーバー装置の中間位置にて前記上枠または前記縦枠の上部に固定される他の主ブラケットと、この主ブラケットに支持されて上下に延びるとともに前記ルーバー材の中間部に連結される副縦材とを備えて構成されていることを特徴とする。
【０００９】
このような本発明によれば、窓部の上枠や縦枠（または下枠）に主ブラケットおよび副ブラケットを固定し、これらのブラケットに渡る縦材にルーバー材を支持させるとともに、ルーバー装置の中間位置にて上枠や縦枠に他の主ブラケットを固定し、この主ブラケットに支持される副縦材をルーバー材の中間部に連結したことで、前述と同様に、施工効率を向上させることができる。また、各ブラケットと窓部や躯体との納まりや止水構造が簡単化でき、部品点数の増加や止水性能の低下が防止できるとともに、カーテンウォールの意匠性を向上させることができる。さらに、ルーバー材の中間部が副縦材を介して他の主ブラケットに支持されることで、ルーバー材の長さ寸法が長くなっても撓みを防止することができ、意匠性を確保しつつルーバー装置の取付剛性および強度を確保することができる。
なお、以上において、ルーバー装置の両端位置としては、窓部を構成する縦枠の前方位置でもよく、また縦枠の前方位置から若干左右にずれた位置であってもよい。また、ルーバー装置の中間位置としては、並設された少なくとも２つの窓部同士において隣り合う縦枠の前方位置でもよく、また隣り合う縦枠の前方位置から若干左右にずれた位置であってもよい。すなわち、主ブラケットや副ブラケットは、窓部を構成する枠材（上枠、下枠、縦枠）によって支持可能な位置に設けられていればよく、枠材からのずれ量は、設計条件等に応じて適宜設定することができる。
【００１０】
この際、本発明のカーテンウォールでは、前記ルーバー装置は、前記縦材と副ブラケットとの交差部と、当該ルーバー装置の中間位置における前記縦枠または下枠とを連結する斜材を備えて構成されていることが好ましい。
このような構成では、窓部の縦枠や下枠とルーバー装置の縦材および副ブラケットとを斜材で連結することで、ルーバー装置の先端部分の変形を防止して取付剛性を向上させることができる。
【００１１】
また、本発明のカーテンウォールでは、前記ルーバー装置は、前記主ブラケットに支持されて左右に延びるデッキ部を備えて構成されていることが好ましい。
このような構成では、ルーバー材に加えてデッキ部を主ブラケットに支持させることで、デッキ部の取付作業もルーバー装置の設置と同時に実施することができ、施工効率をさらに向上させることができる。また、ルーバー装置にデッキ部を設けておけば、このデッキ部を利用して窓部の屋外側を清掃することができ、屋上から吊り下げるゴンドラ形式の清掃用設備が不要にできる。
【００１２】
また、本発明のカーテンウォールでは、前記ルーバー材は、ルーバー材本体とカバー材とを有して断面中空状に形成され、この中空内部に挿入される取付部材を介して前記縦材に固定されていることが好ましい。
このような構成では、ルーバー材の中空内部に取付部材が挿入され、カバー材で覆われることで、ルーバー材と縦材との取付構造が外部に露出せず、ルーバー装置の意匠性を一層向上させることができる。
【００１３】
一方、本発明のカーテンウォールの施工方法は、上枠、下枠、および左右の縦枠の内部に面材を支持したカーテンウォールユニットと、このカーテンウォールユニットの屋外側に設けられるルーバー装置とを備えたカーテンウォールの施工方法であって、前記ルーバー装置は、左右に並設された少なくとも２つの前記カーテンウォールユニットに渡って設けられるとともに、当該ルーバー装置の両端位置にて前記上枠または前記縦枠の上部に固定される主ブラケットと、この主ブラケットよりも下方にて前記縦枠または下枠に固定される副ブラケットと、これらの主ブラケットと副ブラケットとに渡って上下に延びる縦材と、この縦材に支持されて左右に延びる複数のルーバー材と、当該ルーバー装置の中間位置にて前記上枠または前記縦枠の上部に固定される他の主ブラケットと、この主ブラケットに支持されて上下に延びるとともに前記ルーバー材の中間部に連結される副縦材とを備えて構成され、前記少なくとも２つのカーテンウォールユニットを仮組みし、仮組みしたカーテンウォールユニットに前記ルーバー装置を取り付け、このルーバー装置を取り付けた状態のカーテンウォールユニットを吊り上げて建物躯体に固定することを特徴とする。
【００１４】
このような本発明によれば、少なくとも２つのカーテンウォールユニットにルーバー装置を取り付けた状態で、これらを吊り上げて建物躯体に固定することで、カーテンウォールユニットおよびルーバー装置の建物への取付作業が同時に完了するため、施工効率を飛躍的に向上させることができる。特に、高層建築物などの外部足場の利用が困難な場合において、外壁面の屋外側においてルーバー装置の取付作業を省略できることで、作業手間や仮設設備が大幅に削減でき、施工コストを低減させることができる。
【発明を実施するための最良の形態】
【００１５】
以下、本発明の実施形態を図面に基づいて説明する。
図１は、本実施形態に係るカーテンウォール１０を備える建物１の一部を示す縦断面図である。図２は、カーテンウォール１０を示す横断面図である。図３は、カーテンウォール１０の上部を拡大して示す縦断面図であり、図４は、カーテンウォール１０の一部を拡大して示す横断面図である。
【００１６】
図１〜図４において、建物１の外壁面を構成するカーテンウォール１０は、建物１の各フロアの床レベル（図中ＦＬで示す）間の距離（階高）に応じた高さ寸法を有する複数のカーテンウォールユニット１１によって構成されている。
カーテンウォールユニット１１は、建物外壁面の上下左右に並べて配置され、建物１の各フロアの床スラブ２や梁３などの建物躯体に固定されたファスナー（支持具）４に支持されている。そして、カーテンウォールユニット１１は、上枠１２、下枠１３、および左右の縦枠１４，１５を四周枠組みした枠体と、左右の縦枠１４，１５間に水平に架設された２本の中桟（中間横材）１６，１７と、下側の中桟１７、下枠１３、左右の縦枠１４，１５に支持された面材としてのガラスパネル１８とを有して構成されている。また、カーテンウォールユニット１１内部におけるガラスパネル１８よりも上側のスパンドレル部（腰部）には、２本の中桟１６，１７間に支持された通気ガラリ１９と、上側の中桟１６と上枠１２との間に支持されて天井裏空間５の屋外側を覆う耐火パネル２０および上部ガラスパネル２１とが設けられている。そして、通気ガラリ１９の内側には、チャンバー１９Ａが設けられ、通気ガラリ１９およびチャンバー１９Ａを介して外気を天井裏空間５に取り入れられるようになっている。また、ガラスパネル１８の室内側には、遮光ブラインド２２が上下開閉自在に天井６のブラインドボックス６Ａに支持されている。
【００１７】
カーテンウォールユニット１１の上枠１２、下枠１３、縦枠１４，１５および中桟１６，１７は、それぞれアルミ形材製である。上枠１２は、図３に示すように、全体略矩形中空状に形成されるとともにファスナー４に結合される上枠本体１２Ａと、この上枠本体１２Ａの下部屋外側に係合して上部ガラスパネル２１の上端縁を保持する上枠押縁材１２Ｂと、上枠本体１２Ａの屋外側側面に取り付けられるカバー部材１２Ｃとを有して形成されている。下枠１３は、全体略矩形中空状の下枠本体１３Ａと、この下枠本体１３Ａの屋外側に係合してガラスパネル１８の下端縁を保持する下枠押縁材１３Ｂとを有して構成されている。そして、上枠本体１２Ａの上面および下枠本体１３Ａの下面には、それぞれ位置決め部品１２Ｄ，１３Ｃ（図６参照）が設けられており、これらの位置決め部品１２Ｄ，１３Ｃ同士が嵌合することで、カーテンウォールユニット１１の下端縁が見込み方向に位置決めされるようになっている。また、上枠本体１２Ａの上面と下枠本体１３Ａの下面とには、それぞれ一方から他方に向かって突出する気密材１２Ｅ，１３Ｄおよび水密材１２Ｆ，１３Ｅ（図６参照）が設けられ、これらの気密材１２Ｅ，１３Ｄ同士および水密材１２Ｆ，１３Ｅ同士が互いに密接することで気密性および水密性が得られるようになっている。さらに、下枠１３の下枠押縁材１３Ｂ下面には、下方に突出して上枠１２のカバー部材１２Ｃ上面に当接する止水材１３Ｆ（図６参照）が取り付けられており、上枠１２と下枠１３との間に雨水が浸入しないようになっている。
【００１８】
カーテンウォールユニット１１の縦枠１４，１５は、図４に示すように、全体略矩形状で見付け方向外側が開口した縦枠本体１４Ａ，１５Ａと、縦枠本体１４Ａ，１５Ａから屋外側に突出した係合片部１４Ｂ，１５Ｂと、これらの係合片部１４Ｂ，１５Ｂに係合してガラスパネル１８の側端縁を保持する縦枠押縁材１４Ｃ，１５Ｃとを有して構成されている。そして、左右に隣り合うカーテンウォールユニット１１同士において、縦枠１４，１５同士が所定間隔（縦目地Ｓ）を介して対向配置され、互いの縦枠本体１４Ａ，１５Ａに設けられた位置決め部品同士が係合することで、縦目地Ｓの間隔が保持されている。さらに、縦目地Ｓの内部において、縦枠本体１４Ａ，１５Ａに設けられた気密材１４Ｄ，１５Ｄ同士および水密材１４Ｅ，１５Ｅ同士（図７参照）が互いに密接することで、気密性および水密性が得られるようになっている。また、縦枠１４，１５における係合片部１４Ｂ，１５Ｂおよび縦枠押縁材１４Ｃ，１５Ｃは、上枠１２における上枠押縁材１２Ｂの高さまで設けられ、カバー部材１２Ｃに対応した位置において、縦枠１４，１５の係合片部１４Ｂ，１５Ｂは切り欠かれており、この係合片部１４Ｂ，１５Ｂの切り欠き部分に後述する外装ルーバー４０の主ブラケット４２が設置されるようになっている。
【００１９】
以上のようなカーテンウォールユニット１１を上下左右に並べて構成されるカーテンウォール１０の屋外側には、歩行用のデッキ部３０と、外装ルーバー４０とが設けられている。以下、デッキ部３０および外装ルーバー４０について、図５も参照して詳しく説明する。ここで、図５は、デッキ部および外装ルーバー４０を示す斜視図である。
デッキ部３０および外装ルーバー４０は、建物１における各階の床レベルＦＬを跨ぐ高さ位置に設けられている。すなわち、デッキ部３０は、各階の床レベルＦＬと略フラットに設けられた複数（本実施形態では６本）のグレーチング材３１を有して構成され、外装ルーバー４０は、各階の床レベルＦＬよりも若干高くガラスパネル１８の下端部屋外側に重なる位置から、下階のスパンドレル部およびガラスパネル１８の上端部屋外側に重なる位置までに渡って、所定間隔ごとに設けられた複数（本実施形態では６本）の水平ルーバー材４１を有して構成されている。そして、デッキ部３０および外装ルーバー４０は、左右に隣り合う２つのカーテンウォールユニット１１に対応した水平長さ寸法を１つの単位として構成され、この単位ごとにカーテンウォールユニット１１に支持されている。
【００２０】
外装ルーバー４０の具体的な支持構造としては、図５に示すように、２つのカーテンウォールユニット１１における上枠１２両端部に固定される４つの主ブラケット４２と、４つの主ブラケット４２のうちの左右両端部の２つの主ブラケット４２に固定されて上下に延びる２本の縦支持材（縦材）４３と、中間部の２つの主ブラケット４２のうちの１つに固定されて上下に延びる１本の縦ロッド（副縦材）４４と、２本の縦支持材４３の下部とカーテンウォールユニット１１の縦枠１４，１５とを連結する２本の副ブラケット４５と、副ブラケット４５と同一高さ位置にて縦支持材４３と隣接位置の縦枠１４，１５とを連結する２本の水平ブレース材（斜材）４６とを備えて構成されている。そして、デッキ部３０のグレーチング材３１は、４つの主ブラケット４２のうち、各カーテンウォールユニット１１の上枠１２両端部に固定された２つの主ブラケット４２間に架設されている。また、外装ルーバー４０の水平ルーバー材４１は、２本の縦支持材４３間に渡って架設され、これら６本の水平ルーバー材４１を貫通して縦ロッド４４が設けられている。さらに、６本の水平ルーバー材４１の各々の屋外側には、化粧材４７が当該水平ルーバー材４１の略全長に沿って取り付けられている。
【００２１】
次に、外装ルーバー４０の支持構造のうち、主ブラケット４２の構成に関して図６および図７も参照して詳しく説明する。ここで、図６は、カーテンウォールユニット１１の上枠１２および主ブラケット４２を拡大して示す縦断面図である。図７は、上枠１２および主ブラケット４２を拡大して示す横断面図である。
主ブラケット４２は、鋼板を溶接接合して構成されており、上枠１２の屋外側側面に固定される固定片部４２１と、この固定片部４２１から見込み方向屋外側に延びる延出片部４２２とを有して平面略Ｌ字形に形成されている。上枠１２における上枠本体１２Ａの屋外側側面には、当該上枠１２の長手方向に沿った２条の固定溝１２１が形成されており、これらの固定溝１２１内部に支持された裏板１２２と、この裏板１２２から屋外側に突出して固定片部４２１を貫通するボルト１２３と、ボルト１２３に螺合するナット１２４とによって、主ブラケット４２が上枠１２に固定されている。また、主ブラケット４２における延出片部４２２基端部には、屋内側に延びる係合片部４２３が設けられており、この係合片部４２３が縦枠１４，１５の縦枠本体１４Ａ，１５Ａに係合するようになっている。また、主ブラケット４２の固定片部４２１は、図６に示すように、上枠１２のカバー部材１２Ｃに覆われることで、屋外側に露出しないように構成されている。また、カバー部材１２Ｃの端縁と主ブラケット４２の延出片部４２２とは、シール材を介して当接されており、カバー部材１２Ｃ内部へ雨水が浸入しないようになっている。
【００２２】
次に、副ブラケット４５の構成に関して図８および図９も参照して詳しく説明する。ここで、図８は、カーテンウォールユニット１１の縦枠１４，１５および副ブラケット４５を拡大して示す横断面図である。図９は、縦枠１４，１５および副ブラケット４５を拡大して示す側面図である。
副ブラケット４５は、縦支持材４３の屋内側側面に固定されて見込み方向に延びる円柱状の棒状部４５１と、この棒状部４５１の屋内側端部に固定された断面略Ｌ字形の固定片部４５２とを有して構成されている。固定片部４５２は、棒状部４５１が固定されるとともに縦枠押縁材１４Ｃ，１５Ｃの屋外面に当接する見付け面部４５３と、縦枠押縁材１４Ｃ，１５Ｃに沿って縦目地Ｓ内部に挿入されて縦枠本体１４Ａ，１５Ａに固定される見込み面部４５４とを有して形成されている。そして、縦枠本体１４Ａ，１５Ａには、縦目地Ｓ内に開口した固定溝１４１，１５１が形成されており、この固定溝１４１，１５１内部に支持された裏板１４２，１５２と、見込み面部４５４を貫通して裏板１４２，１５２に螺合するビス１４３，１５３とによって、副ブラケット４５が縦枠１４，１５に固定されている。一方、副ブラケット４５における棒状部４５１の屋外側端部には、後述する水平ブレース材４６の端部を支持する端部ブラケット４６Ｂが設けられている。
【００２３】
次に、縦支持材４３に対する水平ルーバー材４１の固定構造に関して図１０および図１１も参照して詳しく説明する。ここで、図１０は、水平ルーバー材４１の固定構造を示す縦断面図である。図１１は、水平ルーバー材４１の固定構造を示す斜視図である。
水平ルーバー材４１は、図１０に示すように、それぞれアルミ形材製のルーバー材本体４１Ａと、このルーバー材本体４１Ａの屋内側に取り付けられる副ルーバー部材４１Ｂと、ルーバー材本体４１Ａおよび副ルーバー部材４１Ｂの下側に取り付けられるルーバーカバー材４１Ｃとを有して構成されている。ルーバー材本体４１Ａは、屋外側に位置する断面略台形状の中空部４１１と、この中空部４１１の上面に連続して屋内側に延びる上面部４１２と、この上面部４１２の屋内側端部から下方に折れ曲がる固定片部４１３とを有して形成されている。副ルーバー部材４１Ｂは、断面略台形中空状に形成されるとともに、その上面に連続して屋外側に延びる係合片部４１４と、その下部から屋外側に突出する突出片部４１５とを有して形成されている。ルーバーカバー材４１Ｃは、ルーバー材本体４１Ａの上面部４１２に対向する底面部４１６と、この底面部４１６の屋内側端部から上方に折れ曲がる固定片部４１７とを有して断面略Ｌ字形に形成されている。また、ルーバーカバー材４１Ｃの固定片部４１７には、屋内側に突出する突出片部４１８が形成されている。
【００２４】
この水平ルーバー材４１は、以下のようにして組み立てられる。先ず、ルーバー材本体４１Ａにおける中空部４１１の下部屋内側端部に、ルーバーカバー材４１Ｃにおける底面部４１６の屋外側先端部を係止させるとともに、ルーバー材本体４１Ａおよびルーバーカバー材４１Ｃの固定片部４１３，４１７同士をビス止めすることで、ルーバー材本体４１Ａとルーバーカバー材４１Ｃとが固定される。そして、ルーバー材本体４１Ａにルーバーカバー材４１Ｃを固定することで、水平ルーバー材４１には、ルーバー材本体４１Ａの中空部４１１、上面部４１２および固定片部４１３と、ルーバーカバー材４１Ｃの底面部４１６および固定片部４１７とで囲まれたルーバー中空部４１Ｄが形成されるようになっている。次に、副ルーバー部材４１Ｂの係合片部４１４をルーバー材本体４１Ａにおける固定片部４１３の上部に係合させるとともに、副ルーバー部材４１Ｂおよびルーバーカバー材４１Ｃの突出片部４１５，４１８同士をビス止めすることで、副ルーバー部材４１Ｂがルーバー材本体４１Ａおよびルーバーカバー材４１Ｃに固定される。また、化粧材４７は、互いに係合して連結される屋内部材４７Ａおよび屋外部材４７Ｂからなり、スペーサ４７Ｃを介してボルト４７１によってルーバー材本体４１Ａの屋外側端部に固定されている。
【００２５】
以上の水平ルーバー材４１は、縦支持材４３に対して取付部材である固定金物４３Ａを介して固定される。この固定金物４３Ａは、水平視で全体略コ字形に形成された鋼製のピース材であって、縦支持材４３の側面に沿った第１固定片部４３１と、この第１固定片部４３１の屋内側および屋外側の各端部から縦支持材４３と反対側に突出する第２および第３の固定片部４３２，４３３とを有して形成されている。そして、固定金物４３Ａは、縦支持材４３を貫通するボルトおよびナットによって第１固定片部４３１が縦支持材４３に固定されている。第２および第３の固定片部４３２，４３３は、水平ルーバー材４１のルーバー中空部４１Ｄ内に挿入され、すなわち、第２固定片部４３２がルーバー材本体４１Ａの固定片部４１３に沿うとともに、第３固定片部４３３がルーバー材本体４１Ａにおける中空部４１１の屋内側側面４１１Ａに沿って設けられている。そして、ルーバー材本体４１Ａの固定片部４１３を貫通するビスを第２固定片部４３２に螺合するとともに、第３固定片部４３３を貫通したボルト４３４が中空部４１１内部の裏板４３５に螺合することで、水平ルーバー材４１と固定金物４３Ａとが固定されるようになっている。水平ルーバー材４１の固定作業としては、前述のように副ルーバー部材４１Ｂおよびルーバーカバー材４１Ｃをルーバー材本体４１Ａから取り外した状態で実施され、水平ルーバー材４１と固定金物４３Ａとを固定してから、副ルーバー部材４１Ｂおよびルーバーカバー材４１Ｃを取り付けることで、固定金物４３Ａが外部に露出しないように構成されている。
【００２６】
次に、縦ロッド４４に対する水平ルーバー材４１の固定構造に関して図１２および図１３も参照して詳しく説明する。ここで、図１２は、水平ルーバー材４１の固定構造を示す縦断面図である。図１３は、水平ルーバー材４１の固定構造を拡大して示す縦断面図および横断面図である。
縦ロッド４４は、鋼製で上下に長尺な円柱棒状の縦ロッド本体４４Ａと、この縦ロッド本体４４Ａを主ブラケット４２に固定するロッド固定部材４４Ｂとを有して構成されている。ロッド固定部材４４Ｂは、４つの主ブラケット４２のうちの中間の１つに溶接固定されており、その先端の筒状部に縦ロッド本体４４Ａを挿通させた状態で縦ロッド本体４４Ａと溶接固定されている。そして、縦ロッド本体４４Ａは、ルーバー材本体４１Ａの上面部４１２およびルーバーカバー材４１Ｃの底面部４１６を貫通して設けられている。この縦ロッド本体４４Ａにおいて、水平ルーバー材４１に対応した各高さ位置には、円柱状の屋内側側面を切り欠いた断面略Ｄ字形の切欠き部４４１が形成され、この切欠き部４４１に係合する係合部材４４Ｃを介して当該縦ロッド本体４４Ａが水平ルーバー材４１に固定されている。
【００２７】
係合部材４４Ｃは、図１３(Ｂ)に示すように、断面略Ω字状（ハット状）のピース部材であって、ルーバー材本体４１Ａにおける中空部４１１の屋内側に沿った一対の固定片部４４２と、これらの固定片部４４２から断面コ字状に屋内側に突出した係合片部４４３とを有して形成されている。そして、係合部材４４Ｃは、固定片部４４２を貫通するビス４４４で中空部４１１の屋内側側面４１１Ａに固定されるとともに、係合片部４４３が縦ロッド本体４４Ａの切欠き部４４１に係合するようになっている。水平ルーバー材４１の固定作業としては、前述のようにルーバーカバー材４１Ｃを取り外した状態で実施され、ルーバー材本体４１Ａに縦ロッド本体４４Ａを挿通してから、係合部材４４Ｃをルーバー材本体４１Ａに固定して縦ロッド本体４４Ａの切欠き部４４１と係合させ、その後にルーバーカバー材４１Ｃを取り付けることで、ルーバー中空部４１Ｄ内部に係合部材４４Ｃが隠蔽されて外部に露出しないように構成されている。
【００２８】
次に、縦枠１４，１５に対する水平ブレース材４６の固定構造に関して図１４〜図１６も参照して詳しく説明する。ここで、図１４は、カーテンウォールユニット１１の縦枠１４，１５および水平ブレース材４６の端部を拡大して示す横断面図である。図１５は、縦枠１４，１５および水平ブレース材４６の端部を拡大して示す正面図であり、図１４に矢視XV−XV線で示す位置の正面図である。図１６は、縦枠１４，１５および水平ブレース材４６の端部を拡大して示す側面図である。
水平ブレース材４６は、金属製長尺部材からなり適宜な長さ調節機構を有したブレース本体４６Ａと、前記副ブラケット４５の先端に固定される端部ブラケット４６Ｂと、縦枠１４，１５に固定される端部ブラケット４６Ｃとを備えて構成されている。端部ブラケット４６Ｃは、ブレース本体４６Ａの端部を支持する短尺状の水平ロッド４６１と、この水平ロッド４６１の屋内側端部に固定された固定片部４６２と、水平ロッド４６１と固定片部４６２との交差部に取り付けられた弾性変形可能なシール材４６３とを有して構成されている。固定片部４６２は、縦枠押縁材１４Ｃ，１５Ｃに沿って縦目地Ｓ内部に挿入され、前述と同様の固定溝１４１，１５１、裏板１４２，１５２およびビス１４３，１５３によって、縦枠１４，１５の縦枠本体１４Ａ，１５Ａに固定されている。
【００２９】
また、縦枠１４，１５の縦枠押縁材１４Ｃ，１５Ｃにおける端部ブラケット４６Ｃの固定片部４６２に対応した位置には、当該縦枠押縁材１４Ｃ，１５Ｃの見付け面から見込み面に渡る切欠き１４４，１５４が形成されている。この切欠き１４４，１５４は、図１５に示すように、縦枠押縁材１４Ｃ，１５Ｃの見付け面において、端部ブラケット４６Ｃの固定片部４６２を見付け方向に受け入れ可能に形成されるとともに、この縦枠押縁材１４Ｃ，１５Ｃの見付け面と固定片部４６２との隙間を塞いでシール材４６３が設けられている。そして、切欠き１４４，１５４は、図１６に示すように、縦枠押縁材１４Ｃ，１５Ｃの見込み面の全長に渡って形成されている。このような切欠き１４４，１５４が形成された縦枠押縁材１４Ｃ，１５Ｃは、縦枠本体１４Ａ，１５Ａとの係合を外せば、切欠き１４４，１５４に固定片部４６２を受け入れるとともに、シール材４６３が弾性変形することで、見付け方向外側に移動できるように構成されている。そして、縦枠押縁材１４Ｃ，１５Ｃが見付け方向外側に移動することで、ガラスパネル１８側端縁の保持が解除され、ガラスパネル１８を屋外側に取り外すことができるようになっている。すなわち、端部ブラケット４６Ｃを取り外すことなく、つまり外装ルーバー４０をカーテンウォールユニット１１の屋外側に取り付けたままで、ガラスパネル１８が交換可能に構成されている。
【００３０】
次に、カーテンウォール１０の施工手順について説明する。
本実施形態におけるカーテンウォールユニット１１の取り付け手順としては、先ず左右に並設される２つのカーテンウォールユニット１１を１組とし、これら２つのカーテンウォールユニット１１同士を仮止め治具を用いて連結する。次に、仮組みした２つのカーテンウォールユニット１１の屋外側に外装ルーバー４０およびデッキ部３０を取り付ける。すなわち、カーテンウォールユニット１１の上枠１２に４つの主ブラケット４２を固定するとともに、外端側の縦枠１４，１５に２本の副ブラケット４５を固定し、隣接部の縦枠１４，１５に２つの端部ブラケット４６Ｃを固定する。さらに、外端側２つの主ブラケット４２先端の縦支持材４３と、中間部の主ブラケット４２先端の縦ロッド４４とに渡って水平ルーバー材４１を固定するとともに、副ブラケット４５先端の端部ブラケット４６Ｂと、縦枠１４，１５側の端部ブラケット４６Ｃとをブレース本体４６Ａで連結し、ブレース本体４６Ａを適宜な長さに調節する。さらに、カーテンウォールユニット１１に設けた主ブラケット４２間にグレーチング材３１を掛け渡してデッキ部３０を取り付ける。
【００３１】
以上のようにして予め組み立てた２つのカーテンウォールユニット１１と外装ルーバー４０およびデッキ部３０とをクレーン等で吊り上げ、建物１の所定階における所定の取付位置において、ファスナー４を介して上枠１２を建物躯体に取り付けるとともに、下枠１３を下階のカーテンウォールユニット１１の上枠１２に位置決めする。その後、建物１の内側から仮止め治具を取り外し、他のカーテンウォールユニット１１を同様の取り付け手順で取り付けてカーテンウォール１０の施工が完了する。
【００３２】
このような本実施形態によれば、以下のような効果がある。
(１)すなわち、外装ルーバー４０がカーテンウォールユニット１１の上枠１２や縦枠１４，１５に支持されているので、外装ルーバー４０を予め取り付けた状態のカーテンウォールユニット１１を建物１に取り付けることができる。従って、カーテンウォールユニット１１および外装ルーバー４０の取付手順が簡単化できるとともに、屋外高所における取付作業が省略または削減できるので、施工効率を向上させることができる。また、主ブラケット４２や副ブラケット４５がカーテンウォールユニット１１の上枠１２や縦枠１４，１５から屋外側に突出して固定されているので、主ブラケット４２や副ブラケット４５とカーテンウォールユニット１１との納まりや止水構造が簡単化でき、部品点数の増加や止水性能の低下が防止できるとともに、納まりや止水構造が簡単化できることから、カーテンウォール１０の外観が良好にでき、意匠性を向上させることができる。
【００３３】
(２)そして、隣り合うカーテンウォールユニット１１の隣接部において、上下に並設される水平ルーバー材４１同士を縦ロッド４４で連結するとともに、副ブラケット４５を設けずに水平ブレース材４６を設けたことで、外装ルーバー４０の中間位置に設けられる部材が少なくなるとともに目立たなくでき、カーテンウォール１０の意匠性をさらに向上させることができる。そして、副ブラケット４５先端と隣接部の縦枠１４，１５とを水平ブレース材４６で連結したことで、外装ルーバー４０の屋外側先端部分の変形を防止し、つまり建物１の外壁面に沿って横方向に振られるような変形が防止でき、外装ルーバー４０の取付剛性を向上させることができる。
【００３４】
(３)また、主ブラケット４２の固定片部４２１が上枠１２のカバー部材１２Ｃに覆われて屋外側に露出せず、副ブラケット４５の見込み面部４５４が縦目地Ｓ内部に挿入されて縦枠本体１４Ａ，１５Ａに固定されることで、これらの主ブラケット４２および副ブラケット４５の固定部分が目立たなくでき、意匠性をさらに向上させることができる。また、水平ルーバー材４１の両端部において、縦支持材４３に固定するための固定金物４３Ａがルーバー中空部４１Ｄ内に隠蔽され、水平ルーバー材４１の中間部において、縦ロッド４４に固定するための係合部材４４Ｃがルーバー中空部４１Ｄ内に隠蔽されるので、水平ルーバー材４１の固定構造が目立たなくでき、外装ルーバー４０の意匠性を一層良好にできる。
【００３５】
(４)また、外装ルーバー４０の主ブラケット４２にデッキ部３０が支持されているので、デッキ部３０の取付作業もカーテンウォールユニット１１および外装ルーバー４０の設置と同時に実施することができ、施工効率をさらに向上させることができる。そして、カーテンウォールユニット１１の屋外側で水平ルーバー材４１の屋内側にデッキ部３０が設けられていることで、このデッキ部３０を利用してカーテンウォール１０の屋外面を清掃することができ、屋上から吊り下げるゴンドラ形式の清掃用設備が利用不能の場合であっても、カーテンウォール１０の汚れを防止して美観を維持することができる。また、デッキ部３０の屋外側に水平ルーバー材４１が設けられているので、清掃作業の際の安心感を高めて作業性を向上させることができる。
【００３６】
なお、本発明は、前記実施形態に限定されるものではない。
例えば、前記実施形態では、カーテンウォール１０が複数のカーテンウォールユニット１１から構成されていたが、これに限らず、建物の取付位置にて上枠１２、下枠１３、縦枠１４，１５、ガラスパネル１８等が組み立てられるノックダウン式にてカーテンウォール１０が構成されてもよい。このようなノックダウン式のカーテンウォールであっても、前述のように、外装ルーバー４０が上枠１２や縦枠１４，１５に支持されていれば、カーテンウォールの取り付けと同時、あるいはカーテンウォールの取り付けに引き続いて外装ルーバー４０の取付作業が実施でき、施工効率を向上させることができる。
また、前記実施形態では、左右に並設される２つのカーテンウォールユニット１１に跨って外装ルーバー４０が取り付けられていたが、これに限らず、各窓部（カーテンウォールユニット１１）ごとに外装ルーバー４０が取り付けられていてもよく、また３つ以上の窓部ごとに外装ルーバー４０が取り付けられていてもよい。
【００３７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３８】
【図１】本実施形態に係るカーテンウォールを備える建物の一部を示す縦断面図である。
【図２】前記カーテンウォールを示す横断面図である。
【図３】前記カーテンウォールの上部を拡大して示す縦断面図である。
【図４】前記カーテンウォールの一部を拡大して示す横断面図である。
【図５】前記カーテンウォールに設けられるデッキ部およびルーバー装置を示す斜視図である。
【図６】前記ルーバー装置の上部支持構造を拡大して示す縦断面図である。
【図７】前記ルーバー装置の上部支持構造を拡大して示す横断面図である。
【図８】前記ルーバー装置の下部支持構造を拡大して示す横断面図である。
【図９】前記ルーバー装置の下部支持構造を拡大して示す側面図である。
【図１０】前記ルーバー装置におけるルーバー材両端部の固定構造を示す縦断面図である。
【図１１】前記ルーバー材両端部の固定構造を示す斜視図である。
【図１２】前記ルーバー材中間部の固定構造を示す縦断面図である。
【図１３】前記ルーバー材中間部の固定構造を拡大して示す縦断面図および横断面図である。
【図１４】前記ルーバー装置における斜材の固定構造を示す横断面図である。
【図１５】前記斜材の固定構造を示す正面図である。
【図１６】前記斜材の固定構造を示す側面図である。
【符号の説明】
【００３９】
１０…カーテンウォール、１１…カーテンウォールユニット（窓部）、１２…上枠、１３…下枠、１４，１５…縦枠、１８…ガラスパネル（面材）、３０…デッキ部、３１…グレーチング材、４０…外装ルーバー（ルーバー装置）、４１…水平ルーバー材、４１Ａ…ルーバー材本体、４１Ｃ…ルーバーカバー材、４２…主ブラケット、４３…縦支持材（縦材）、４３Ａ…固定金物（取付部材）、４４…縦ロッド（副縦材）、４５…副ブラケット、４６…水平ブレース材（斜材）。
【図１】
2009221788.tif 000003
【図２】
2009221788.tif 000004
【図３】
2009221788.tif 000005
【図４】
2009221788.tif 000006
【図５】
2009221788.tif 000007
【図６】
2009221788.tif 000008
【図７】
2009221788.tif 000009
【図８】
2009221788.tif 000010
【図９】
2009221788.tif 000011
【図１０】
2009221788.tif 000012
【図１１】
2009221788.tif 000013
【図１２】
2009221788.tif 000014
【図１３】
2009221788.tif 000015
【図１４】
2009221788.tif 000016
【図１５】
2009221788.tif 000017
【図１６】
2009221788.tif 000018